(57)【特許請求の範囲】
【請求項１】
シリコンロッドが直立して収容される反応器を形成する底板から、前記反応器を前記底板とともに形成する蓋を吊り上げ、前記底板から取り外す際に用いられる棒状体であって、
前記底板の周囲に配置された底板側穴に挿入される第１部位と、
前記蓋の周囲において前記底板側穴に対向する位置に配置された蓋側穴に挿入される第２部位と、を有していることを特徴とする棒状体。
【請求項２】
請求項１に記載の棒状体を挿入する前記底板側穴を前記底板の周囲に配置するため、前記底板の周囲に取り付けられる取付部を有しているとともに、
前記底板側穴として機能する穴が形成されていることを特徴とする治具。
【請求項３】
前記治具の下部には、前記棒状体の下端部を支持する支持部を備えることを特徴とする請求項２に記載の治具。
【請求項４】
請求項１に記載の棒状体を挿入する前記蓋側穴を前記蓋の周囲に配置するため、前記蓋の周囲に取り付けられる取付部を有しているとともに、
前記蓋側穴として機能する穴が形成されていることを特徴とする治具。
【請求項５】
前記第１部位は、前記底板に設けられたフランジに形成された前記底板側穴に挿入され、
前記第２部位は、前記蓋に設けられたフランジに形成された前記蓋側穴に挿入されることを特徴とする請求項１に記載の棒状体。
【請求項６】
前記底板の外縁から前記底板側穴までの距離、および前記蓋の外壁から前記蓋側穴までの距離は、前記蓋の外壁から、前記蓋の外壁に設けられた突起部の前記蓋の外壁とは反対側の端部までの距離よりも長いことを特徴とする請求項１に記載の棒状体。
【請求項７】
前記棒状体を前記底板側穴および前記蓋側穴に挿入した状態における、前記底板から前記棒状体の上端までの高さは、前記底板から直立する前記シリコンロッドの上端までの高さよりも高いことを特徴とする請求項１に記載の棒状体。
【請求項８】
前記第１部位よりも下端部側に、前記棒状体の周囲を囲むように前記棒状体の軸方向に延伸する抜け防止部が着脱自在に設けられ、
前記抜け防止部の前記棒状体の径方向の長さは、前記底板側穴の径よりも長いことを特徴とする請求項７に記載の棒状体。
【請求項９】
前記第２部位よりも上端部側に、前記棒状体の周囲を囲むように前記棒状体の軸方向に延伸する持ち手部が設けられていることを特徴とする請求項１に記載の棒状体。
【請求項１０】
シリコンロッドが直立して収容される反応器を形成する底板から、前記反応器を前記底板とともに形成する蓋を取り外すための取り外し方法であって、
前記底板の周囲に配置された底板側穴と、前記蓋の周囲において前記底板側穴に対向する位置に配置された蓋側穴とに、棒状体を挿入する挿入工程と、
前記棒状体が前記底板側穴および前記蓋側穴に挿入された状態で、前記蓋を吊り上げる吊り上げ工程と、を含むことを特徴とする取り外し方法。
【請求項１１】
前記底板および前記蓋の各周囲に対する前記棒状体の挿入が、前記底板および前記蓋の周方向に対して略等間隔を空けて、少なくとも２箇所以上で行われていることを特徴とする請求項１０に記載の取り外し方法。
【請求項１２】
シリコンロッドが直立して収容される反応器を形成する底板から、前記反応器を前記底板とともに形成する蓋を取り外す取り外し工程を含むシリコンロッドの製造方法であって、
前記取り外し工程は、
シリコンロッドを収容する反応器を形成する底板の周囲に配置された底板側穴と、前記蓋の周囲において前記底板側穴に対向する配置に形成された蓋側穴とに、棒状体を挿入する挿入工程と、
前記棒状体が前記底板側穴および前記蓋側穴に挿入された状態で、前記蓋を吊り上げる吊り上げ工程と、を含むことを特徴とするシリコンロッドの製造方法。
【請求項１３】
前記挿入工程では、前記底板および前記蓋の各周囲に対する前記棒状体の挿入が、前記底板および前記蓋の周方向に対して略等間隔を空けて、少なくとも２箇所以上で行われてなることを特徴とする請求項１２に記載のシリコンロッドの製造方法。
【発明の詳細な説明】
【技術分野】
【０００１】
本発明は、シリコンロッドの製造時に用いられる棒状体、治具、反応器の蓋の取り外し方法およびシリコンロッドの製造方法に関する。
【背景技術】
【０００２】
高純度ポリシリコンは、半導体用のチョクラルスキー法（ＣＺ法）やフロートゾーン法（ＦＺ法）による単結晶シリコンの生産原料として有用であり、太陽電池用の一方向凝固法によるキャスト法多結晶シリコンの原料としても有用である。【０００３】
ポリシリコンは、通常、シーメンスプロセス（Siemensプロセス）により生産される。シーメンスプロセスでは、シリコン含有ガスと水素とを反応器に投入し、投入したシリコン含有ガスと水素とが、反応器内で通電加熱されているシリコン芯線上で反応して、シリコン芯線上にポリシリコンが析出される。シリコン含有ガスとしては、モノシラン（ＳｉＨ４）や、トリクロロシラン（ＳｉＨＣｌ３）が使用される。【０００４】
最も一般的な反応器は、冷却できる金属製の底板とベル型のシェルで構成され、底板にシリコン芯線を立設する多数の電極と、原料ガスを導入する導入口と、反応器内のガスを排出する排出口と、が設けられている。【０００５】
シリコン芯線は、通常、２本の鉛直棒と１本の水平ブリッジ棒とでコの字型に組まれ、反応器の底板に設けられた電極に垂直に逆Ｕ字状に立設される。ポリシリコンをシリコン芯線上に析出させることにより、ポリシリコンは時間と共にそのシリコン芯線の直径方向に成長する。ポリシリコンが所定の直径に達したら、反応を終了させる。成長を終了したシリコンロッド（ポリシリコン）は通常室温まで冷却される。これにより得られる逆Ｕ字型シリコンロッドは、高さが数ｍで、１つのシリコンロッドの重量が数１０kgである。【０００６】
シリコンロッドを室温まで冷却した後、シリコンロッドは反応器から取り出される。シーメンスプロセスは、連続プロセスではなく、バッチプロセスであるため、反応器は析出が終了したら一旦運転を停止し、反応器を開放して、得られたシリコンロッドを反応器から取り出す必要がある。反応器の開放は、通常、ベル状の反応器の蓋を、ゆっくり上方に吊り上げることにより行う。シリコンロッドの反応器からの取出しは、逆Ｕ字のシリコンロッドを１つずつ吊り上げて反応器の外に移動させ、キャリー台等に載せて運び出す。【０００７】
シリコンロッドを反応器から取り出す技術について、例えば、特許文献１から特許文献３に開示されている。特許文献１および特許文献２には、反応器の蓋をゆっくりと上方に吊り上げ、反応器の底板上に鉛直に立っている逆Ｕ字状のシリコンロッドを、１つずつ、または複数纏めて反応器の底板から取り出す技術が開示されている。特許文献３には、保護壁を反応器の周囲に設置することにより、反応器の開放後にシリコンロッドが転倒した場合に、保護壁の外側へのシリコンロッドの飛散を防止することができる技術が開示されている。
【先行技術文献】
【特許文献】
【０００８】
【特許文献１】ＵＳ２０１２／０２３７６７８（２０１２年９月２０日公開）
【特許文献２】ＵＳ２０１０／００４３９７２（２０１０年２月２５日公開）
【特許文献３】ＷＯ２０１５／０３９８４１（２０１５年３月２６日公開）
【発明の概要】
【発明が解決しようとする課題】
【０００９】
シリコン芯線の表面上に、直径が１００〜２００ｍｍ程度の太さになるようにポリシリコンを成長させる工程において、反応器の底板におけるシリコン芯線の配置によっては、ポリシリコンがシリコン芯線を中心として非対称に成長することがある。この場合、シリコンロッドの重心が、シリコンロッドを支える電極の中心の鉛直方向からずれることとなる。ポリシリコンの析出中は、シリコンロッドは１０００℃以上であり延性および軟化性を有するため、シリコンロッドの重心が電極の中心の鉛直方向からずれても自立を保てる。【００１０】
しかし、反応終了後、シリコンロッドを冷却する過程でシリコンロッドが８００℃以下となると、シリコンロッドの延性や軟化性がなくなるため、シリコンロッドの重心が電極の中心の鉛直方向からずれていると、シリコンロッド内に歪が発生する。歪が発生したシリコンロッドは、冷却時や冷却後の僅かな振動により反応器内で根元から倒れ、場合によっては反応器の蓋の内壁に倒れかかることがある。【００１１】
そのような現象に対して前述した従来技術は以下の問題がある。特許文献１および特許文献２に開示されている技術は、シリコンロッドが反応器内で鉛直に立っている状態であるときのシリコンロッドを取り出す技術である。そのため、特許文献１および特許文献２に開示されている技術は、シリコンロッドが内壁に倒れかかっている状態の反応器の蓋を吊り上げて、反応器を開放する作業には採用できない。【００１２】
また、シリコンロッドが反応器の蓋の内壁に倒れかかっている状態で反応器の蓋を吊り上げる場合、蓋の吊り上げ時に、反応器の蓋の内壁に倒れかかったシリコンロッドの重量により、蓋が横揺れすることが考えられる。その場合、特許文献３に開示されている技術では、反応器の周囲に設けた保護壁に横揺れした蓋が引っ掛かり、それ以上蓋を吊り上げることができなくなる。そのため、シリコンロッドが反応器の蓋の内壁に倒れかかっている状態で反応器の蓋を吊り上げる場合は、保護壁を撤去しなければならない。したがって、特許文献３に開示されている技術も、シリコンロッドが内壁に倒れかかっている状態の反応器の蓋を吊り上げて、反応器を開放する作業には採用できない。【００１３】
本発明は、前記従来の問題点に鑑みなされたものであって、シリコンロッドが反応器の蓋の内壁に接触している場合であっても、蓋を吊り上げて反応器を開放することを目的とする。
【課題を解決するための手段】
【００１４】
前記の課題を解決するために、本発明の一態様に係る棒状体は、シリコンロッドが直立して収容される反応器を形成する底板から、前記反応器を前記底板とともに形成する蓋を吊り上げ、前記底板から取り外す際に用いられる棒状体であって、前記底板の周囲に配置された底板側穴に挿入される第１部位と、前記蓋の周囲において前記底板側穴に対向する位置に配置された蓋側穴に挿入される第２部位と、を有していることを特徴とする。【００１５】
また、発明の一態様に係る取り外し方法は、シリコンロッドが直立して収容される反応器を形成する底板から、前記反応器を前記底板とともに形成する蓋を取り外すための取り外し方法であって、前記底板の周囲に配置された底板側穴と、前記蓋の周囲において前記底板側穴に対向する位置に配置された蓋側穴とに、棒状体を挿入する挿入工程と、前記棒状体が前記底板側穴および前記蓋側穴に挿入された状態で、前記蓋を吊り上げる吊り上げ工程と、を含むことを特徴とする。【００１６】
さらに、発明の一態様に係るシリコンロッドの製造方法は、シリコンロッドが直立して収容される反応器を形成する底板から、前記反応器を前記底板とともに形成する蓋を取り外す取り外し工程を含むシリコンロッドの製造方法であって、前記取り外し工程は、シリコンロッドを収容する反応器を形成する底板の周囲に配置された底板側穴と、前記蓋の周囲において前記底板側穴に対向する配置に形成された蓋側穴とに、棒状体を挿入する挿入工程と、前記棒状体が前記底板側穴および前記蓋側穴に挿入された状態で、前記蓋を吊り上げる吊り上げ工程と、を含むことを特徴とする。
【発明の効果】
【００１７】
本発明の一態様によれば、シリコンロッドが反応器の内壁に接触している場合であっても、蓋を吊り上げて反応器を開放することができる。
【図面の簡単な説明】
【００１８】
【図１】本発明の実施形態に係る棒状体が底板側穴および蓋側穴に挿入された状態において、反応器の蓋を反応器の底板から取り外す様子を示す側面図である。
【図２】前記棒状体が底板側穴および蓋側穴に挿入された状態を示す断面図である。
【図３】前記反応器に突起部がある場合を示す側面図である。
【図４】本発明の実施形態の変形例１を説明する図であり、棒状体の治具の概略構成を説明する断面図である。
【図５】前記治具が反応器の蓋に取り付けられている状態を示す反応器の上面図の一部である。
【図６】本発明の実施形態の変形例２を説明する図であり、棒状体の変形例を示す断面図である。
【図７】本発明の実施形態に係る保護構造体が反応器の周囲に配置された状態において、反応器の蓋を反応器の底板から取り外す様子を示す側面図である。
【図８】前記保護構造体の上面図である。
【発明を実施するための形態】
【００１９】
以下、本発明の実施形態について詳細に説明する。なお、説明の便宜上、実施形態の変形例において実施形態に示した部材と同一の機能を有する部材については、同一の符号を付記し、適宜その説明を省略する。なお、実施形態中では便宜上、反応器１００において、蓋１０３側を上側、底板１０１側を下側として上下の方向を示すものとする。なお、以下に示す上下方向は説明の便宜上のものであり、本発明の実施に対しこれらの方向に限定されることはない。
【００２０】
（反応器の構成）
図１に基づき、反応器１００の概略構成について説明する。図１は、本発明の実施形態１に係る棒状体１０が底板側穴１０２ａおよび蓋側穴１０４ａに挿入された状態において、反応器１００の蓋１０３を反応器１００の底板１０１から取り外す様子を示す側面図である。図１における反応器１００は、蓋１０３が底板１０１から少し吊り上げられた状態を示している。
【００２１】
反応器１００は、シーメンスプロセス（Siemensプロセス）により、内部に設置したシリコン芯線にポリシリコンを析出させ、シリコンロッド１１０を生成させる装置である。反応器１００は、底板１０１と、蓋１０３と、を備えている。
【００２２】
底板１０１は金属製であり、略円形である。底板１０１には底板１０１の周囲を取り囲むように底板側フランジ１０２が設けられている。底板側フランジ１０２には、底板側穴１０２ａが複数、底板１０１の周方向に向けて略等間隔に設けられている。底板側穴１０２ａは底板側フランジ１０２を上下方向に貫通するように設けられている。また、底板１０１にはシリコン芯線を立設するための多数の電極１０５が設けられている。シリコン芯線は、通常、２本の鉛直棒と１本の水平ブリッジ棒とでコの字型に組まれており、電極１０５において底板１０１に対して垂直に、逆Ｕ字状に立設される。前述したように、シリコン芯線にポリシリコンを析出させることでシリコンロッド１１０が生成される。なお、図の簡略化のため、図１にはシリコンロッド１１０および電極１０５を、１セットのみ図示している。
【００２３】
蓋１０３は、金属製でありベル型形状である。蓋１０３の下部には蓋１０３の周囲を取り囲むように蓋側フランジ１０４が設けられている。蓋側フランジ１０４には、蓋側穴１０４ａが複数、蓋１０３の周方向に向けて略等間隔に設けられている。蓋側穴１０４ａは蓋側フランジ１０４を上下方向に貫通するように設けられ、底板側穴１０２ａに対向する位置に配置されている。
【００２４】
なお、もともと底板側フランジ１０２および蓋側フランジ１０４に設けられているボルト穴を利用して、底板側穴１０２ａおよび蓋側穴１０４ａとしてもよい。これにより、底板１０１および蓋１０３に、新たに底板側穴１０２ａおよび蓋側穴１０４ａを設ける工程を省略することができる。底板側フランジ１０２に設けられているボルト穴と、蓋側フランジ１０４に設けられているボルト穴とが対向するように底板１０１と蓋１０３の下端とを当接させ、当該ボルト穴にボルトを通して締めることで、反応器１００を密閉することができる。
【００２５】
（棒状体）
棒状体１０について、図１および図２に基づき説明する。図２は、図１における二点鎖線で囲まれた部分を説明する断面図であり、棒状体１０が底板側穴１０２ａおよび蓋側穴１０４ａに挿入された状態を示す断面図である。図２において、点線Ｌ１で囲まれた図は、蓋１０３が吊り上げられる前の状態、点線Ｌ２で囲まれた図は、蓋１０３が底板１０１から少し吊り上げられた状態を示している。棒状体１０（全倒ガイド）は、シリコンロッド１１０が直立して収容される反応器１００を形成する底板１０１から、反応器１００を底板１０１とともに形成する蓋１０３を吊り上げ、底板１０１から取り外す際に用いられる。
【００２６】
棒状体１０は、図２のＬ１に示すように、底板１０１の周囲に配置された底板側穴１０２ａに挿入される第１部位１１と、蓋１０３の周囲において底板側穴１０２ａに対向する位置に配置された蓋側穴１０４ａに挿入される第２部位１２と、を有している。棒状体１０には、第１部位１１よりも下端部側に、棒状体１０の周囲を囲むように棒状体１０の軸方向に延伸する抜け防止部１３が着脱自在に設けられている。図２のＬ２に示すように、抜け防止部１３の棒状体１０の径方向の長さｗ２は、底板側穴１０２ａの径ｗ１よりも大きい。
【００２７】
また、図１に示すように、棒状体１０を底板側穴１０２ａおよび蓋側穴１０４ａに挿入した状態における、底板１０１から棒状体１０の上端までの高さｈ２は、底板１０１から直立するシリコンロッド１１０の上端までの高さｈ１よりも高いことが好ましく、特には、高さｈ２は、前記高さｈ１よりも２００〜５００ｍｍ高いことが好ましい。
【００２８】
（蓋の取り外し方法）
シリコンロッド１１０が直立して収容される反応器１００を形成する底板１０１から、反応器１００を底板１０１とともに形成する蓋１０３を取り外すための取り外し方法の一例について説明する。
【００２９】
まず、底板１０１の周囲に配置された底板側穴１０２ａと、蓋１０３の周囲において底板側穴１０２ａに対向する位置に配置された蓋側穴１０４ａとに、棒状体１０を挿入する（挿入工程）。この挿入工程では、棒状体１０を前記底板側穴１０２ａと蓋側穴１０４ａとに挿通する際には、棒状体１０の第１部位１１よりも下端部側には、抜け防止部１３が装着されていない状態で挿通し、挿通後、棒状体１０に同部材を装着させる。また、挿入工程において、底板１０１および蓋１０３の各周囲に対する棒状体１０の挿入を、底板１０１および蓋１０３の周方向に対して略等間隔を空けて、少なくとも２箇所以上で行う。棒状体１０は、通常６本、好ましくは３本、特に好ましくは２本挿入する。例えば、棒状体１０を２本挿入する場合は、反応器１００の直径の両端に位置する底板側穴１０２ａおよび蓋側穴１０４ａに棒状体１０を挿入する。
【００３０】
次に、棒状体１０が底板側穴１０２ａおよび蓋側穴１０４ａに挿入された状態で、蓋１０３を上方（図１における矢印方向）に吊り上げる（吊り上げ工程）。
【００３１】
蓋１０３を吊り上げる際、蓋１０３の内壁に倒れかかったシリコンロッドの重量により、蓋１０３が横揺れすることが問題となる。具体的には、蓋１０３の横揺れにより（１）反応器１００内に直立しているシリコンロッド１１０に蓋１０３が当たり、当該シリコンロッド１１０を倒してしまう、または、（２）反応器１００の周囲に配置した保護壁に蓋１０３が当たり、蓋１０３をそれ以上引き上げることができなくなる等の問題が起こる。
【００３２】
しかし、棒状体１０を底板側穴１０２ａおよび蓋側穴１０４ａに挿入したまま蓋１０３を吊り上げることにより、蓋１０３が棒状体１０に沿って吊り上げられるため、蓋１０３を略鉛直方向に沿うように吊り上げることができる。その結果、シリコンロッド１１０が反応器１００の内壁に接触している場合であっても、蓋１０３を吊り上げる際の蓋１０３の横揺れを防止し、底板１０１上に直立しているシリコンロッド１１０より高い位置まで蓋１０３を吊り上げることができる。
【００３３】
なお、シリコンロッド１１０の製造方法において、反応器１００を底板１０１とともに形成する蓋１０３を取り外す取り外し工程として、前記挿入工程と前記吊り上げ工程とを含むことで、下記の効果を奏するシリコンロッド１１０の製造方法を実現することができる。すなわち、シリコンロッド１１０が反応器１００の内壁に接触している場合であっても、蓋１０３を吊り上げて反応器１００を開放することができるシリコンロッド１１０の製造方法を実現することができる。
【００３４】
（棒状体の設計）
発明者は、棒状体１０について種々の解析を行い、棒状体１０について下記に基づき設計することにより、蓋１０３の吊り上げの際の横揺れが最適に防止できることを見出した。
【００３５】
詳しくは、棒状体１０の直径は、底板側穴１０２ａおよび蓋側穴１０４ａの径に対して、８５％〜９８％、好ましくは９０〜９５％、特に好ましくは９２〜９４％とすることが望ましい。底板側穴１０２ａおよび蓋側穴１０４ａの径に対する棒状体１０の直径が、大きすぎると棒状体１０が底板側穴１０２ａおよび蓋側穴１０４ａに引っ掛かって、棒状体１０の該底板側穴１０２ａおよび蓋側穴１０４ａへの挿通が円滑に行えなくなり、さらには蓋１０３が円滑に吊り上がらない。底板側穴１０２ａおよび蓋側穴１０４ａの径に対する棒状体１０の直径が、小さすぎると、蓋１０３の横振れ幅が許容範囲以上に大きくなる他、棒状体１０の強度が弱くなる。
【００３６】
棒状体１０の直径は、前記に限らず、蓋側フランジ１０４下面の横揺れが、底板側フランジ１０２上面に対して、±１００ｍｍ以内、好ましくは±７０ｍｍ以内、特に好ましくは±４０ｍｍ以内であれば、特に制限はない。底板１０１上に数十本のシリコン芯線を直立させて数十本のシリコンロッド１１０を成長させる反応器１００では、多数のシリコン芯線を多数の同心円上に立てて成長させる。蓋１０３に最も近い円周上に立っているシリコン芯線が１００〜２００ｍｍの太さのシリコンロッド１１０に成長すると、シリコンロッド１１０と蓋１０３の内壁との距離は、通常、数１００ｍｍ程度となる。そのため、蓋１０３がシリコンロッド１１０に接触しないようにするためには、蓋１０３の横揺れは±１００ｍｍ以内とすることが求められる。
【００３７】
また、棒状体１０のたわみを考慮する場合、棒状体１０の直径は、１０〜５０ｍｍ、好ましくは１５〜４５ｍｍ、特に好ましくは２０〜４０ｍｍとすることが望ましい。棒状体１０の直径が１０ｍｍより細いと棒状体１０のたわみが大きくなり、蓋１０３の吊り上げ時の横揺れが大きくなる。棒状体１０の直径が５０ｍｍより太いと棒状体１０が重くなり、作業性が悪くなる。棒状体１０の長さは、反応器１００で成長したシリコンロッド１１０の上端より上に蓋１０３を吊り上げられる長さであれば特に制限はないが、前記したように底板１０１から棒状体１０の上端までの高さｈ２が、底板１０１から直立するシリコンロッド１１０の上端までの高さｈ１よりも２００〜５００ｍｍ高いことが好ましい。棒状体１０の通常の長さは、５００〜３０００ｍｍである。
【００３８】
（変形例１）
図３および図４に基づき、本発明の変形例１について説明する。図３は、反応器１００に突起部１０６がある場合を示す側面図である。図４は、本発明の変形例１を説明する図であり、棒状体１０の治具５０・６０の概略構成を説明する断面図である。
【００３９】
反応器１００の蓋１０３の形状は各種の形状のものが使用されており、例えば、図３に示すように、蓋１０３の側壁面１０３ａ（外壁）に突起部１０６が設けられている場合がある。突起部１０６は、例えば、ノズル、点検用マンホール等の突起構造物等としての機能を有する。
【００４０】
蓋１０３に突起部１０６がある場合であっても、図３に示すように、距離ｗ３が距離ｗ４よりも長ければ問題ない。距離ｗ３は、底板１０１の外縁から底板側穴１０２ａまでの距離、および蓋１０２の外壁から蓋側穴１０４ａまでの距離である。距離ｗ４は、蓋１０３の外壁から、蓋１０３の外壁に設けられた突起部１０６の蓋１０３の外壁とは反対側の端部までの距離である。
【００４１】
しかしながら、距離ｗ３が距離ｗ４よりも短い場合、底板側フランジ１０２に設けられた底板側穴１０２ａおよび蓋側フランジ１０４に設けられた蓋側穴１０４ａに棒状体１０を通そうとしても、場所によっては棒状体１０が突起部１０６にぶつかる。その場合、棒状体１０を底板側穴１０２ａおよび蓋側穴１０４ａに挿入できず、蓋１０３を鉛直方向に吊り上げることができない。そのため、蓋１０３に突起部１０６が設けられ、距離ｗ３が距離ｗ４よりも短い場合、治具５０・６０を利用する。
【００４２】
図４に示すように、治具５０は、棒状体１０を挿入する底板側穴１０２ａを底板１０１の周囲に配置するため、底板１０１の周囲に取り付けられる取付部５１を有しているとともに、底板側穴１０２ａとして機能する穴５０ａが形成されている。また、治具５０の下部には、棒状体１０の下端部を支持する支持部５２が設けられている。治具５０を利用する場合、取付部５１を底板側フランジ１０２に形成されている底板側穴１０２ａに下から挿入することで治具５０を底板側フランジ１０２に装着し、棒状体１０の第１部位１１は、底板側穴１０２ａとして機能する穴５０ａに挿入される。
【００４３】
治具６０は、棒状体１０を挿入する蓋側穴１０４ａを蓋１０３の周囲に配置するため、蓋１０３の周囲に取り付けられる取付部６１を有しているとともに、蓋側穴１０４ａとして機能する穴６０ａが形成されている。治具６０を利用する場合、取付部６１を蓋側フランジ１０４に形成されている蓋側穴１０４ａに上から挿入することで治具６０を蓋側フランジ１０４に装着し、棒状体１０の第２部位１２は、蓋側穴１０４ａとして機能する穴６０ａに挿入される。治具６０の装着例を図５に示す。図５は、治具６０が反応器１００の蓋側フランジ１０４に取り付けられている状態を示す、反応器１００の上面図の一部である。
【００４４】
また、治具５０・６０を利用した場合、底板１０１の外縁から底板側穴１０２ａとして機能する穴５０ａまでの距離、および蓋１０２の外壁から蓋側穴１０４ａとして機能する穴６０ａまでの距離は、蓋１０３の外壁から、蓋１０３の外壁に設けられた突起部１０６の蓋１０３の外壁とは反対側の端部までの距離よりも長くなる。そのため、治具５０・６０を利用すると、突起部１０６に当たらない位置に、蓋１０３の側壁面１０３ａに略平行かつ略鉛直方向に、棒状体１０を配置することができる。これにより、蓋１０３をシリコンロッド１１０の上端の上方まで吊り上げることができる。
【００４５】
なお、底板側穴１０２ａとして機能する穴５０ａおよび蓋側穴１０４ａとして機能する穴６０ａの径に対する棒状体１０の直径は、底板側穴１０２ａおよび蓋側穴１０４ａの径に対する棒状体１０の直径と同様の比率となるように設計する。
【００４６】
（変形例２）
図６に基づき、本発明の変形例２について説明する。図６は本発明の実施形態の変形例２を説明する断面図であり、棒状体１０の変形例である棒状体１０Ａが底板側穴１０２ａおよび蓋側穴１０４ａに挿入された状態を示す断面図である。
【００４７】
蓋１０３の吊り上げ工程において、棒状体１０は、蓋１０３の吊り上げ状態ごとに長さおよび太さを変更したものを用いてもよい。すなわち、前記図１で説明した、底板１０１から棒状体１０の上端までの高さｈ２が、底板１０１から直立するシリコンロッド１１０の上端までの高さｈ１よりも高く設計された長尺棒状体（棒状体１０）よりも、短い長さの短尺棒状体（棒状体１０Ａ）を用意し、前記長尺棒状体と使い分ける、または併用してもよい。
【００４８】
詳述すれば、前記反応器１００において、底板１０１からの蓋１０３の取り外しに際して、底板側フランジ１０２と蓋側フランジ１０４とを固定するボルトを外していくと、該底板１０１と蓋１０３との間には位置ズレが生じ易くなる。また、底板１０１から蓋１０３を取り外す際には、底板側フランジ１０２と蓋側フランジ１０４が部分的に強く合着していることもありえ、この場合、底板側フランジ１０２と蓋側フランジ１０４との解離に強い負荷をかけることが要されることもある。さらに、蓋１０３の吊り上げの当初は、振幅しようとする負荷も特に大きい。したがって、前記ボルトの取り外しから、蓋１０３の吊り上げ当初までは、蓋１０３は位置安定性を特に高めておく必要性があり、こうした短尺の棒状体１０Ａを、前記長尺棒状体と使い分ける、または併用することが望ましい態様になる。
【００４９】
棒状体１０Ａは、太くて短いことが望ましい。具体的には、棒状体１０Ａの長さは、例えば、３００〜４００ｍｍである。棒状体１０Ａの直径は、前述した前記底板側穴１０２ａおよび蓋側穴１０４ａの径に対する範囲の中にあっても、特に好ましい範囲である９２〜９７％とすることが望ましく、実寸で示せば、２０〜３０ｍｍであることが望ましい。棒状体１０Ａは、図６に示すように、第２部位１２よりも上端部側に、棒状体１０Ａの周囲を囲むように棒状体１０Ａの軸方向に延伸する持ち手部１０Ａ１が設けられている。なお、棒状体１０Ａは、前記ボルトの取り外しから、蓋１０３の吊り上げ当初までの位置安定性を高める目的で使用されるため、前記棒状体１０の第１部位１１よりも下端部側に設けられる、抜け防止部１３は必ずしも設ける必要はない。また、図示にはないが、蓋１０３を１ｍ程度吊り上げた状態で作業を行いたい場合は、棒状体１０Ａよりも長い棒状体を用いてもよい。
【００５０】
（保護構造体）
保護構造体２００について、図７および図８に基づき説明する。図７は、本発明の実施形態に係る保護構造体２００が反応器１００の周囲に配置された状態において、反応器１００の蓋１０３を反応器１００の底板１０１から取り外す様子を示す側面図である。図８は、保護構造体２００の上面図である。
【００５１】
保護構造体２００は、蓋１０３を底板１０１から取り外す際に、底板１０１に直立しているシリコンロッド１１０が底板１０１の外側に倒れて床に飛散することを防ぐためのものである。保護構造体２００は、反応器１００の周囲に配置されている。保護構造体２００は、シリコンロッド１１０が蓋１０３に倒れかかっている状態で、蓋１０３を吊り上げる場合のみに、反応器１００の周囲に配置されるものであってもよい。保護構造体２００は、図７および図８に示すように、第１枠体２０１（枠体）と、第２枠体２０２と、複数の第３枠体２０３と、保護壁面２０４と、を備えている。
【００５２】
第１枠体２０１は、シリコンロッド１１０を収容する反応器１００の底板１０１の周囲を取り囲む形状を有する。第１枠体２０１は、鉛直方向に延びる複数の第３枠体２０３に接続されており、複数の第３枠体２０３によって、底板１０１の周囲を取り囲む位置に支持されている。
【００５３】
第２枠体２０２は、水平方向に延び、複数の第３枠体２０３の上端と接続されている。第２枠体２０２は、複数の第３枠体２０３によって、水平方向に延びるように支持されている。複数の第３枠体２０３は、それぞれ、第１枠体２０１および第２枠体２０２に接続されており、第１枠体２０１および第２枠体２０２を支持する。
【００５４】
保護壁面２０４は、第１枠体２０１から鉛直上方に延び、シリコンロッド１１０の収納空間２１０を形成する。保護壁面２０４は、メッシュ構造を有している。
【００５５】
保護構造体２００には、第１枠体２０１と、反応器１００の底板１０１との間においてリング状の保護板２０５が設けられている。保護板２０５は、底板１０１の周囲を囲むように延び、なおかつ水平方向に広がる平面を有する。保護板２０５は、例えば、反応器１００の底板側フランジ１０２の下面の高さと同じ高さの位置に設けられる。このように、底板１０１と第１枠体２０１との間には保護板２０５が設けられているため、転倒したシリコンロッド１１０は保護板２０５上に飛散する。その結果、シリコンロッド１１０の保護構造体２００によれば、シリコンロッド１１０の床への飛散を防止することができる。
【００５６】
保護壁面２０４には、反応器１００に収容されたシリコンロッド１１０を取り出すための取り出し窓２０７が形成されている。取り出し窓２０７は、２本の第４枠体２０８と２本の第５枠体２０９とによって囲まれることで形成される。第４枠体２０８は、鉛直方向に延び、第１枠体２０１と第２枠体２０２との間に設けられている。第５枠体２０９は、水平方向に延び、２本の第４枠体２０８の間に設けられている。このように、保護壁面２０４に取り出し窓２０７が形成されることにより、シリコンロッド１１０の保護構造体２００を解体せずに設置したまま、取り出し窓２０７によりシリコンロッド１１０を取り出すことができる。
【００５７】
また、保護構造体２００は、第１枠体２０１における複数の点Ｐ１のそれぞれから鉛直上方に延びる分割線２０６に沿って、分割可能である。つまり、図８の場合、保護構造体２００は、６つに分割可能である。これにより、例えば、シリコンロッド１１０の保護構造体２００を運搬および収納に適した大きさに分割することで、保護構造体２００を効率的に組み立てることができる。
【００５８】
以上により、シリコンロッド１１０の保護構造体２００において、第１枠体２０１から鉛直上方に延び、シリコンロッド１１０の収納空間を形成する保護壁面２０４が、メッシュ構造を有している。そのため、シリコンロッド１１０の保護構造体２００では、シリコンロッド１１０の保護構造体２００の外側へのシリコンロッド１１０の飛散を防止しつつ、保護構造体２００外部から内部への視認性を確保することができる。その結果、シリコンロッド１１０の保護構造体２００によれば、例えば、シリコンロッド１１０の転倒状況を確認しつつ、反応器１００の蓋１０３を吊り上げる作業を行うことができる。
【００５９】
（保護構造体の設計）
高さが数ｍで、一つの重量が数十ｋｇあるシリコンロッド１１０は、軽い衝撃でも破砕されやすく、蓋１０３を吊り上げる際に反応器１００の外側に向けて倒れだす場合の衝撃や倒れた衝撃で、大きな分布の塊状または粉状のシリコンに破砕される。これらの破片は、ほぼ全量捕集する必要がある。
【００６０】
発明者は、種々の解析を行い、反応器１００の周辺に下記の設計条件を満たした保護構造体２００を設けた状態で蓋１０３を吊り上げることで、倒れたシリコンロッド１１０およびその破砕物を保護構造体２００で受け止めることができることを見出した。
【００６１】
（保護壁面の設計）
通常、成長したシリコンロッド１１０はＵ字状であるが、直線状の長さに換算すると４メートルから６メートルとなり、太さが１００〜２００ｍｍである。比重を２．４ｇ／ｃｍ３とすると、一つのシリコンロッド１１０の重量は、７５〜４６０ｋｇとなり、１８対ロッドの反応器１００ではシリコンロッド１１０の総重量は、１３００〜８２００ｋｇとなる。そのため、保護構造体２００の強度が十分でないとシリコンロッド１１０およびその破砕により発生する破片が保護構造体２００を突き破り、開放作業の作業員に危害をおよぼす可能性がある。
【００６２】
ここで、発明者は、シリコンロッド１１０の倒れ出す挙動について観察をした結果、シリコンロッド１１０は、以下のように保護構造体２００内に飛散することを見出した。すなわち、（１）シリコンロッド１１０は、シリコンロッド１１０と電極１０５との接合部分を起点として、反応器１００の外側に向かってゆっくりと倒れ込み、（２）保護構造体２００にゆっくり寄りかかり、棒状のままでいるか、倒れかかった衝撃で崩壊し、（３）シリコンブロックやシリコン片に分割され、保護構造体２００内に飛散する。
【００６３】
前記挙動により、保護構造体２００の内面のある一点Ａ（図示なし）に、反応器１００上のすべてのシリコンロッド１１０が倒れかかったときにかかる静圧は、保護構造体２００と底板側フランジ１０２からの距離Ｌと、反応器１００内のすべてのシリコンロッド１１０の重量Ｗとに依存することが分かる。つまり、距離Ｌおよび重量Ｗの値を定めれば、静圧の大きさを推定できる。例えば、保護構造体２００の保護壁面２０４を反応器１００の底板側フランジ１０２の外径より１ｍ以内に設置した場合は、保護構造体２００の保護壁面２０４が受ける静圧は、シリコンロッド１１０の総重量の半分以下となる。
【００６４】
（保護壁面のメッシュ）
作業効率を高める必要性から、軽量であるほど設置する作業が容易となるので、保護壁面２０４は金属製のメッシュ構造とすることが好ましい。保護構造体２００の軽量化のため、保護壁面２０４のメッシュの大きさは、成長したシリコンロッド１１０の崩壊テストを行い、崩壊により発生するシリコン片の分布を求め、シリコン片の９９％以上を捕集できるメッシュの大きさとすることが望ましい。メッシュがあまり小さくなりすぎると、保護構造体２００外部から内部への視認性が悪くなるため、具体的には、最適な保護壁面２０４のメッシュの大きさは２〜１０メッシュ、好ましくは３〜７メッシュ、特に好ましくは３〜５メッシュであることが望ましい。
【００６５】
また、前述の静圧に基づき、保護構造体２００のメッシュの金網の太さを決定することが望ましい。具体的には、保護壁面２０４の金網の太さは、１６番線〜２０番線、好ましくは１７番線〜１９番線、特に好ましくは１８番線とすることが望ましい。前記構成とすることで、シリコンロッド１１０の倒れ込みよる静圧を許容することができる。
【００６６】
（分割の設計）
析出したシリコンロッド１１０が蓋１０３の内壁に倒れかかっているかどうかは、蓋１０３の側壁面１０３ａに設けられた覗き窓（図示なし）から確認する、または蓋１０３を少し吊り上げてその隙間から確認するしか方法がない。したがって、シリコンロッド１１０が蓋１０３の内壁への倒れかかっていることが確認された場合は、蓋１０３の吊り上げを中止して、速やかに保護構造体２００を組み立てる必要があり、保護構造体２００の組み立て作業の迅速性が必要となる。
【００６７】
保護構造体２００を分割構造にすることにより、分割された保護構造体２００の個々の重量はさらに軽量となり、保護構造体２００の設置作業が容易となる。保護構造体２００の移動性をよくするために分割式とする際の分割数の選定では、人力で運搬できる重量を目安として分割数を選定することが望ましい。具体的には、分割された保護構造体２００の各重量が８０〜１８０ｋｇ、好ましくは１００〜１６０ｋｇ、特に好ましくは１２０〜１５０ｋｇとなるように分割数を決定することが望ましい。
【００６８】
分割形式の保護構造体２００の組み立て例を説明する。反応器１００の周辺をリング状に囲むように、各分割した保護構造体２００を密接させて設置し、隣接している分割した保護構造体２００の接合部を、クイックカップリングで固定し、一体化した保護構造体２００を組み立てる。
【００６９】
（第１枠体の設計）
保護構造体２００の第１枠体２０１が形成する円の直径は、反応器１００の底板側フランジ１０２および蓋側フランジ１０４の外径より大きければよい。具体的には、第１枠体２０１が形成する円の直径を、底板側フランジ１０２および蓋側フランジ１０４の外径より０〜１０００ｍｍ、好ましくは２００〜７００ｍｍ、特に好ましくは３００〜６００ｍｍ、だけ大きい半径とすることが望ましい。これにより、蓋１０３を保護構造体２００内でスムーズに吊り上げることができ、シリコンロッド１１０が保護壁面２０４に倒れかかることにより受ける保護壁面２０４に対する静圧を小さくすることができる。
【００７０】
また、保護構造体２００に倒れた衝撃で崩壊したシリコンロッド１１０は、シリコンブロックやシリコン片に分割され、保護構造体２００内に飛散する。発生したシリコン片の粒径または保護構造体２００の高さによっては、保護構造体２００の上を飛び越えるシリコンブロックやシリコン片があることが発明者により発見された。
【００７１】
そこで、発明者はシリコンロッド１１０の倒壊の衝撃で発生するシリコンブロックやシリコン片のサイズの分布を測定した。その結果、長さが数ｍで、径が１００〜２００ｍｍのシリコンロッド１１０が倒壊して破砕した場合に発生するシリコン片の最小サイズは１０ｍｍ程度以上であることが判明した。このような飛散するシリコンロッド１１０をすべて受け止めるためには、保護構造体２００の内面から反応器１００の外面までの距離が５００ｍｍ、好ましくは３００ｍｍ、特に好ましくは２５０ｍｍ、となるように第１枠体２０１を設計することが望ましい。
【００７２】
（保護構造体の高さ）
保護構造体２００の高さは、反応器１００設置されている反応器室内の床から、倒壊せずに反応器１００の底板１０１に直立しているシリコンロッド１１０の上端までの高さＨ（図示なし）より高ければよい。保護構造体２００の高さが高さＨよりも高すぎると、保護構造体２００内のシリコンロッド１１０を、該保護構造体２００を超えて取り出そうとした際に、吊り上げる高さを過度に高くしなければならず、作業性が悪くなり好ましくない。
【００７３】
また、保護構造体２００の高さが高さＨよりも低すぎると、シリコンロッド１１０が反応器１００の外側に向かってに倒れたときに、シリコンロッド１１０の破砕で発生するシリコン片の保護構造体２００の飛び越しを受け止めることができない。そのため、保護構造体２００の高さは、高さＨよりも−２００ｍｍ〜８００ｍｍ、好ましくは、０ｍｍ〜５００ｍｍ、特に好ましくは０〜２００ｍｍ高い高さとすることが望ましい。
【００７４】
（シリコン片の分布の評価方法）
シリコンロッド１１０の崩壊により発生するシリコン片の分布の評価は以下の通り行った。反応器１００内で倒壊せずに正常に反応器１００から取出されたシリコンロッド１１０を平らな床に起立させ、そのシリコンロッド１１０をシリコンロッド１１０の下端を起点として倒し、その倒壊で発生するシリコン片のサイズの重量分布を測定した。倒れたシリコンロッド１１０が直接床面に接触しないように、平らな床において倒すシリコンロッド１１０の周辺には、他のシリコンロッド１１０を横倒して敷き詰めた。
【００７５】
（保護構造体を用いた場合のシリコンロッドの製造方法）
保護構造体２００を用いた場合のシリコンロッドの製造方法の一例について説明する。まず、シリコンロッド１１０の析出が終了した後、反応器１００の底板側フランジ１０２と蓋側フランジ１０４のボルト締めを開放する。その後、底板１０１の周囲に配置された底板側穴１０２ａと、蓋１０３の周囲において底板側穴１０２ａに対向する位置に配置された蓋側穴１０４ａとに、棒状体１０を挿入する。
【００７６】
次に、蓋１０３の内壁にシリコンロッド１１０が倒れかかっているかいないかを確認する。蓋１０３の内壁にシリコンロッド１１０が倒れかかっている場合、底板１０１の周囲を取り囲む形状を有する第１枠体２０１と、第１枠体２０１から鉛直上方に延び、メッシュ構造を有する保護壁面２０４とを備える保護構造体２００を反応器１００の周囲に設置してシリコンロッド１１０の収納空間２１０を形成する。その後、棒状体１０が底板側穴１０２ａおよび蓋側穴１０４ａに挿入された状態で、蓋１０３を上方に吊り上げる。
【００７７】
これにより、蓋１０３の吊り上げ時に、蓋１０３の内壁にシリコンロッド１１０が倒れかかった状態の蓋１０３をほぼ横振れさせることなく吊り上げることができるので、横振れにより、蓋１０３が保護構造体２００に引っかかることを防止することができる。そのため、蓋１０３の内壁にシリコンロッド１１０が倒れかかった状態であっても、保護構造体２００を反応器１００の周囲に設置したまま蓋１０３の吊り上げ作業を行うことができる。その結果、保護構造体２００の外側へのシリコンロッド１１０の飛散を防止しつつ、蓋１０３の吊り上げ作業を行うことができる。
【００７８】
また、蓋１０３をほぼ横振れさせることなく吊り上げることができるので、底板１０１内のシリコンロッド１１０のドミノ倒しを防止できる。また、シリコンロッド１１０の収穫率を下げることなく、シリコンロッド１１０の崩壊により発生するシリコン片の反応器室の床への飛散を防止することができ、開放作業の作業員の危険性を回避できる。さらに、蓋１０３の開放作業が短時間で終了し、次の析出反応を速やかに行うことができ、生産性が向上する。
【００７９】
〔まとめ〕
本発明の一態様に係る棒状体は、シリコンロッドが直立して収容される反応器を形成する底板から、前記反応器を前記底板とともに形成する蓋を吊り上げ、前記底板から取り外す際に用いられる棒状体であって、前記底板の周囲に配置された底板側穴に挿入される第１部位と、前記蓋の周囲において前記底板側穴に対向する位置に配置された蓋側穴に挿入される第２部位と、を有していることを特徴とする。
【００８０】
前記構成によれば、底板から蓋を取り外す際に、棒状体の第１部位が底板の周囲に配置された底板側穴に挿入され、棒状体の第２部位が蓋の周囲において底板側穴に対向する位置に配置された蓋側穴に挿入されたまま、蓋が底板から吊り上げられる。そのため、蓋は棒状体に沿って吊り上げられるため、蓋は略鉛直方向に沿うように吊り上げられる。その結果、シリコンロッドが反応器の内壁に接触している場合であっても、蓋を吊り上げる際の蓋の横揺れを防止し、蓋を吊り上げて反応器を開放することができる。
【００８１】
これにより、蓋の横振れに起因する反応器内で直立して収容されるシリコンロッドのドミノ倒しを防止できるので、シリコンロッドの収穫率を上げることができる。また、反応器の開放作業が短時間で終了し、次の析出反応を速やかに行うことができるので生産性が向上する。
【００８２】
また、発明の一態様に係る治具は、前記棒状体を挿入する前記底板側穴を前記底板の周囲に配置するため、前記底板の周囲に取り付けられる取付部を有しているとともに、前記底板側穴として機能する穴が形成されていてもよい。
【００８３】
前記構成によれば、底板の周囲に適切な底板側穴がなくとも、取付部を底板の周囲に取り付けることで、前記治具により底板側穴として機能する穴を底板の周囲に配置することができる。
【００８４】
さらに、前記治具は、前記治具の下部には、前記棒状体の下端部を支持する支持部を備えていてもよい。
【００８５】
前記構成によれば、前記治具に棒状体を挿入したとき、棒状体の下端部が支持部に支持される。そのため、前記治具からの棒状体の落下を防止することができ、棒状体の挿入状態を保つことができる。
【００８６】
また、前記治具は、前記棒状体を挿入する前記蓋側穴を前記蓋の周囲に配置するため、前記蓋の周囲に取り付けられる取付部を有しているとともに、前記蓋側穴として機能する穴が形成されていてもよい。
【００８７】
前記構成によれば、蓋の周囲に適切な蓋側穴がなくとも、取付部を蓋の周囲に取り付けることで、前記治具により蓋側穴として機能する穴を蓋の周囲に配置することができる。
【００８８】
さらに、前記棒状体は、前記第１部位は、前記底板に設けられたフランジに形成された前記底板側穴に挿入され、前記第２部位は、前記蓋に設けられたフランジに形成された前記蓋側穴に挿入されていてもよい。
【００８９】
前記構成よれば、底板側穴および蓋側穴はフランジに形成されている。そのため、反応器に新たな構成を付加することなく、底板側穴および蓋側穴に棒状体を挿入することができる。
【００９０】
また、前記棒状体では、前記底板の外縁から前記底板側穴までの距離、および前記蓋の外壁から前記蓋側穴までの距離は、前記蓋の外壁から、前記蓋の外壁に設けられた突起部の前記蓋の外壁とは反対側の端部までの距離よりも長くてもよい。
【００９１】
前記構成よれば、底板側穴および蓋側穴は、蓋の外壁に設けられた突起部よりも外側に形成されている。そのため、底板側穴および蓋側穴に棒状体を挿入しても、当該突起部と棒状体とは接触しない。その結果、蓋の外壁に突起部が設けられている場合でも、棒状体を底板側穴および蓋側穴に挿入することができる。
【００９２】
さらに、前記棒状体は、前記棒状体を前記底板側穴および前記蓋側穴に挿入した状態における、前記底板から前記棒状体の上端までの高さは、前記底板から直立する前記シリコンロッドの上端までの高さよりも高くてもよい。
【００９３】
前記構成によれば、シリコンロッドが反応器内で蓋の内壁に向かって倒れている場合であっても、当該シリコンロッドの上端が露出するまで、蓋を略鉛直方向に沿うように吊り上げることができる。その結果、シリコンロッドが反応器内で倒れている場合であっても、蓋の横揺れを防止したまま、蓋をシリコンロッドの上方まで引き上げることができる。
【００９４】
また、前記棒状体は、前記第１部位よりも下端部側に、前記棒状体の周囲を囲むように前記棒状体の軸方向に延伸する抜け防止部が着脱自在に設けられ、前記抜け防止部の前記棒状体の径方向の長さは、前記底板側穴の径よりも長くてもよい。
【００９５】
前記構成によれば、棒状体は第１部位よりも下端部側に棒状体の周囲を囲むように棒状体の軸方向に延伸する抜け防止部が設けられている。そのため、棒状体を底板側穴および蓋側穴に挿入したまま蓋を底板から吊り上げる際に、棒状体が蓋に引っ張られた場合であっても、棒状体が底板側穴から抜けることを防止することができる。また、抜け防止部は着脱自在に設けられているため、抜け防止部が棒状体に装着されていない状態で、棒状体を底板側穴および蓋側穴に挿通させることができるので、棒状体の底板側穴および蓋側穴への挿通が容易となる。
【００９６】
さらに、前記棒状体は、前記第２部位よりも上端部側に、前記棒状体の周囲を囲むように前記棒状体の軸方向に延伸する持ち手部が設けられていてもよい。
【００９７】
前記構成によれば、棒状体は、第２部位よりも上端部側に棒状体の周囲を囲むように棒状体の軸方向に延伸する持ち手部が備えられている。そのため、持ち手部をつかむことで棒状体を片手で容易に扱うことができ、作業性を向上させることができる。
【００９８】
また、発明の一態様に係る取り外し方法は、シリコンロッドが直立して収容される反応器を形成する底板から、前記反応器を前記底板とともに形成する蓋を取り外すための取り外し方法であって、前記底板の周囲に配置された底板側穴と、前記蓋の周囲において前記底板側穴に対向する位置に配置された蓋側穴とに、棒状体を挿入する挿入工程と、前記棒状体が前記底板側穴および前記蓋側穴に挿入された状態で、前記蓋を吊り上げる吊り上げ工程と、を含むことを特徴とする。
【００９９】
前記構成によれば、挿入工程および吊り上げ工程により、底板の周囲に配置された底板側穴、および蓋の周囲において底板側穴に対向する位置に配置された蓋側穴に、棒状体が挿入されたまま、蓋が底板から吊り上げられる。これにより、蓋が棒状体に沿って吊り上げられるため、蓋は略鉛直方向に沿うように吊り上げられる。そのため、前記取り外し方法によれば、シリコンロッドが反応器の内壁に接触している場合であっても、蓋を吊り上げる際の蓋の横揺れを防止することができる。
【０１００】
さらに、前記取り外し方法は、前記底板および前記蓋の各周囲に対する前記棒状体の挿入が、前記底板および前記蓋の周方向に対して略等間隔を空けて、少なくとも２箇所以上で行われていてもよい。前記構成によれば、蓋を吊り上げる際の蓋の横揺れを安定して防止することができる。
【０１０１】
また、発明の一態様に係るシリコンロッドの製造方法は、シリコンロッドが直立して収容される反応器を形成する底板から、前記反応器を前記底板とともに形成する蓋を取り外す取り外し工程を含むシリコンロッドの製造方法であって、前記取り外し工程は、シリコンロッドを収容する反応器を形成する底板の周囲に配置された底板側穴と、前記蓋の周囲において前記底板側穴に対向する配置に形成された蓋側穴とに、棒状体を挿入する挿入工程と、前記棒状体が前記底板側穴および前記蓋側穴に挿入された状態で、前記蓋を吊り上げる吊り上げ工程と、を含むことを特徴とする。
【０１０２】
前記構成によれば、前記シリコンロッドの製造方法において、挿入工程および吊り上げ工程を含む取り外し工程により、棒状体が底板の周囲に配置された底板側穴、および蓋の周囲において底板側穴に対向する位置に配置された蓋側穴に挿入されたまま、蓋が底板から吊り上げられる。これにより、蓋が棒状体に沿って吊り上げられるため、蓋は略鉛直方向に沿うように吊り上げられる。そのため、前記シリコンロッドの製造方法によれば、シリコンロッドが反応器の内壁に接触している場合であっても、蓋を吊り上げる際の蓋の横揺れを防止することができる。
【０１０３】
さらに、前記シリコンロッドの製造方法は、前記挿入工程では、前記底板および前記蓋の各周囲に対する前記棒状体の挿入が、前記底板および前記蓋の周方向に対して略等間隔を空けて、少なくとも２箇所以上で行われていてもよい。前記構成によれば、蓋を吊り上げる際の蓋の横揺れを安定して防止することができる。
【０１０４】
本発明は上述した実施形態に限定されるものではなく、請求項に示した範囲で種々の変更が可能であり、異なる変形例にそれぞれ開示された技術的手段を適宜組み合わせて得られる実施形態についても本発明の技術的範囲に含まれる。
【符号の説明】
【０１０５】
１０・１０Ａ  棒状体
１１  第１部位
１２  第２部位
５０・６０  治具
５１・６１  取付部
１００  反応器
１０１  底板
１０２  底板側フランジ
１０２ａ  底板側穴
１０３  蓋
１０３ａ  側壁面（外壁）
１０４  蓋側フランジ
１０４ａ  蓋側穴
１０５  電極
１０６  突起部
１１０  シリコンロッド
２００  保護構造体
２０１  第１枠体（枠体）
２０４  保護壁面
２０５  保護板
２０６  分割線
２０７  取り出し窓
２１０  収納空間
【要約】
棒状体（１０）は、反応器（１００）を形成する底板（１０１）から、反応器（１００）を底板（１０１）とともに形成する蓋（１０３）を吊り上げ、底板（１０１）から取り外す際に用いられ、底板（１０１）の周囲に配置された底板側穴（１０２ａ）に挿入される第１部位（１１）と、蓋（１０３）の周囲において底板側穴（１０２ａ）に対向する位置に配置された蓋側穴（１０４ａ）に挿入される第２部位（１２）と、を有している。【図１】
0006810308.tif 000002
【図２】
0006810308.tif 000003
【図３】
0006810308.tif 000004
【図４】
0006810308.tif 000005
【図５】
0006810308.tif 000006
【図６】
0006810308.tif 000007
【図７】
0006810308.tif 000008
【図８】
0006810308.tif 000009